(57)【特許請求の範囲】
【請求項１】
梁のウエブに設けられた貫通穴の周縁のウエブを挟んだ該ウエブの両側に該貫通穴の外径よりも長尺で且つ前記ウエブの高さよりも短尺な平板とＬ型板とが当接され、
該平板とＬ型板のそれぞれの前記ウエブの貫通穴内の範囲に設けられたボルト挿通孔に挿通されるボルトとナットとにより該平板とＬ型板とが前記ウエブを挟んで締結固定され、
前記平板に設けられたボルト挿通孔の中心から該平板の一端までの長さが前記ウエブの高さ方向の中心から前記梁の下フランジの上面までの長さに設定されて前記梁に対する前記Ｌ型板の取り付け高さ位置が統一され、
当該平板の一端を前記梁の下フランジの上面に当接させると共に、
前記Ｌ型板の起立片に設けられた外壁板受部に外壁板を取り付けた
ことを特徴とする梁外壁結合構造。
【請求項２】
前記Ｌ型板の起立片に設けられた外壁板受部は、該起立片から更に直角に折り曲げた外壁板受片を有し、該外壁板受片に前記外壁板を取り付けた
ことを特徴とする請求項１に記載の梁外壁結合構造。
【請求項３】
前記外壁板受部に長尺部材を渡して固定し、該長尺部材に前記外壁板を取り付けた
ことを特徴とする請求項１又は２に記載の梁外壁結合構造。
【発明の詳細な説明】
【技術分野】
【０００１】
本発明は、梁に外壁板を取り付けるための梁外壁結合構造に関するものである。
【背景技術】
【０００２】
従来、梁のウエブに貫通穴が設けられ、該梁の内側のウエブ近傍に断熱板が設けられる断熱梁に軽量気泡コンクリート（ＡＬＣ）板等からなる外壁板を取り付ける場合には、梁受金具をビス止めしていた。しかしながら、梁にビスを打ち込むことは梁を傷めるだけでなく、強度的面から見てもやや不安があり、施工にも手間がかかっていた。
【０００３】
一方、実公平２−２４９６９号公報（特許文献１）には、手の届かない場所にナットを挿入してボルト止めできる中空ナット体が提案されている。
【０００４】
【特許文献１】実公平２−２４９６９号公報
【発明の開示】
【発明が解決しようとする課題】
【０００５】
しかしながら、前述の特許文献１の技術では、挿入したナットを回転させる回転代が必要となるため梁のウエブ近傍に断熱材や耐火被覆材が配置されるような場合には断熱材や耐火被覆材が破損する恐れもあり、外壁板を支持できる程度の大きな固定強度を得ることも困難であった。
【０００６】
本発明は前記課題を解決するものであり、その目的とするところは、断熱材や耐火被覆材を傷付けることがなく、外壁側からのみの施工で梁に外壁板を取り付けることが出来、外壁板受金具の固定作業も容易で、外壁板の固定強度の保障が出来る梁外壁結合構造を提供せんとするものである。
【課題を解決するための手段】
【０００７】
前記目的を達成するための本発明に係る梁外壁結合構造の第１の構成は、梁のウエブに設けられた貫通穴の周縁のウエブを挟んだ該ウエブの両側に該貫通穴の外径よりも長尺で且つ前記ウエブの高さよりも短尺な平板とＬ型板とが当接され、該平板とＬ型板のそれぞれの前記ウエブの貫通穴内の範囲に設けられたボルト挿通孔に挿通されるボルトとナットとにより該平板とＬ型板とが前記ウエブを挟んで締結固定され、前記Ｌ型板の起立片に設けられた外壁板受部に外壁板を取り付けたことを特徴とする。
【０００８】
また、本発明に係る梁外壁結合構造の第２の構成は、前記第１の構成において、前記Ｌ型板の起立片に設けられた外壁板受部は、該起立片から更に直角に折り曲げた外壁板受片を有し、該外壁板受片に前記外壁板を取り付けたことを特徴とする。
【０００９】
また、本発明に係る梁外壁結合構造の第３の構成は、前記第１の構成において、前記平板の下端を前記梁の下フランジの上面に当接させたことを特徴とする。
【００１０】
また、本発明に係る梁外壁結合構造の第４の構成は、前記第１の構成において、前記平板に設けられたボルト挿通孔の中心から該平板の一端までの長さが、前記ウエブの高さ方向の中心から前記梁の下フランジの上面までの長さに設定されたことを特徴とする。
【００１１】
また、本発明に係る梁外壁結合構造の第５の構成は、外壁板を取り付けるための外壁板受部の両端部に設けられた軸部が、前記梁の上下フランジに設けられた一対の貫通孔にそれぞれ挿入され、前記一方の軸部に設けられた係止部が一方のフランジ内面に係止されると共に、他方の軸部に設けられたネジ部に螺合されたナットが他方のフランジの内面に当接係止されて固定され、前記外壁板受部に外壁板を取り付けたことを特徴とする。
【００１２】
また、本発明に係る梁外壁結合構造の第６の構成は、前記第１〜第５の構成において、前記外壁板受部に長尺部材を渡して固定し、該長尺部材に前記外壁板を取り付けたことを特徴とする。
【発明の効果】
【００１３】
本発明に係る梁外壁結合構造の第１の構成によれば、平板の弾性によりボルト締付強度が得られることで外壁を確実に梁に固定するができる。また、Ｌ型板が直角に折れ曲がっているので外壁受強度が得られる。また、平板及びＬ型板を所望の方向に回転させて傾斜させても使用することが出来る。また、軒下の高さの低い外壁板の取り付けに有利である。
【００１４】
また、本発明に係る梁外壁結合構造の第２の構成によれば、Ｌ型板の起立片から更に直角に折り曲げた外壁板受片に外壁板を容易に当接させて取り付けることが出来る。
【００１５】
また、本発明に係る梁外壁結合構造の第３の構成によれば、平板の下端を梁の下フランジの上面に当接させることで、外壁を確実に梁に固定することを補助できる。
【００１６】
また、本発明に係る梁外壁結合構造の第４の構成によれば、平板に設けられたボルト挿通孔の中心から該平板の一端までの長さをウエブの高さ方向の中心から梁の下フランジの上面までの長さに設定したことで、平板に設けられたボルト挿通孔の中心から該平板の一端までの長さを一定に調節することにより外壁板受部の取り付け高さ位置を統一にすることが容易になる。
【００１７】
また、本発明に係る梁外壁結合構造の第５の構成によれば、梁のウエブに貫通穴が無い場合や貫通穴があっても他の部材で塞がっていて使用できない場合であっても上下フランジの貫通孔を利用して外壁板受部を取り付けることが出来る。
【００１８】
また、本発明に係る梁外壁結合構造の第６の構成によれば、長尺の外壁板を取り付ける場合には梁に直接取り付けた外壁板受部に長尺部材を渡してその長尺部材に外壁板を取り付けることが出来、外壁板受部の個数及び取付作業を削減することが出来る。また、外壁板取付のためのビス位置の自由度が増える。
【発明を実施するための最良の形態】
【００１９】
図により本発明に係る梁外壁結合構造の一実施形態を具体的に説明する。図１は本発明に係る梁外壁結合構造の第１実施形態の構成を示す断面説明図、図２は本発明に係る梁外壁結合構造の第１実施形態の構成を示す分解斜視図、図３は外壁板受金具Ａの分解斜視図、図４は本発明に係る梁外壁結合構造の第２実施形態の構成を示す断面説明図、図５は本発明に係る梁外壁結合構造の第２実施形態の構成を示す分解斜視図、図６は外壁板受金具Ｂを梁に取り付けた様子を示す断面説明図、図７は外壁板受金具Ｂの構成を示す三面図、図８は外壁板受金具Ａ，Ｂを梁に取り付けた様子を示す分解斜視図である。
【００２０】
図１及び図４において、建物の屋根１の軒裏１ａには、最上階の軽量気泡コンクリート（ＡＬＣ）外壁板２の上部に連続して軽量気泡コンクリート（ＡＬＣ）軒裏用外壁板３が屋根１を支持する梁４に取り付けられている。
【００２１】
図１〜図３に示す外壁板受金具Ａは、梁４のウエブ４ａに設けられた貫通穴4a1の外径よりも長尺で且つ該ウエブ４ａの高さよりも短尺な平板５とＬ型板６とを有して構成され、本実施形態のＬ型板６の起立片６ａに設けられた外壁板受部は、該起立片６ａから更に直角に折り曲げた外壁板受片６ｂを有して全体が断面Ｚ字形状で構成されている。尚、外壁板受片６ｂを起立片６ａからボルト挿通孔6c1が設けられる固定片６ｃ側に折り曲げて全体を断面コ字形状で構成することも出来る。尚、ボルトナットでウエブ４ａに外壁板受金具Ａを固定する際、作業スペースがとり易くするためには、断面Ｚ字型の方が好ましい。
【００２２】
平板５に設けられたボルト挿通孔５ｂの中心から該平板５の一端５ａまでの長さは、梁４のウエブ４ａの高さ方向の中心から梁４の下フランジ４ｃの上面までの長さに設定される。
【００２３】
Ｌ型板６の一端部には起立片６ａと外壁板受片６ｂの一部を切り欠いた切欠部６ｄが設けられている。
【００２４】
外壁板受金具Ａを梁４のウエブ４ａに取り付ける場合には、先ず、平板５のボルト挿通孔５ｂとＬ型板６のボルト挿通孔6c1に平板５側からボルト７を挿通し、該ボルト７にＬ型板６側からナット８を仮止めした状態で平板５の一端側を梁４のウエブ４ａの貫通穴4a1からウエブ４ａの屋内側に挿入し、更に平板５の他端側を貫通穴4a1からウエブ４ａの屋内側に挿入して平板５とＬ型板６との間にウエブ４ａを配置する。このとき、平板５の下端５ａを梁４の下フランジ４ｃの上面に当接させる。
【００２５】
そして、梁４のウエブ４ａに設けられた貫通穴4a1の周縁のウエブ４ａを挟んだ両側に該貫通穴4a1の外径よりも長尺で且つ前記ウエブ４ａの高さよりも短尺な平板５とＬ型板６とを当接し、該平板５とＬ型板６のそれぞれの梁４のウエブ４ａの貫通穴4a1内の範囲に設けられたボルト挿通孔５ｂ，6c1に挿通されるボルト７にナット８を螺合締結して該平板５とＬ型板６とを梁４のウエブ４ａを挟んで固定する。
【００２６】
梁４のウエブ４ａの貫通穴4a1の周縁にそれぞれ取り付けた複数の外壁板受金具Ａの外壁板受部となる外壁板受片６ｂに断面コ字形状の長尺部材９を渡して当接し、タッピングビス10により固定する。そして、長尺部材９に軒裏用外壁板３をドリルねじ11により取り付ける。尚、梁４のウエブ４ａの屋内側に設けられる図示しない断熱板とウエブ４ａとの間に空隙を設けてあれば取付スペースになり、より好ましい。
【００２７】
尚、長尺部材９を省略して外壁板受金具Ａの外壁板受片６ｂに直接、軒裏用外壁板３をドリルねじ11により取り付けることでも良い。
【００２８】
図４〜図７に示す第２実施形態では、梁４のウエブ４ａに貫通穴4a1がない場合や他の障害物があって貫通穴4a1が利用できない場合に、図４〜図６に示すように、梁４の上下フランジ４ｂ，４ｃに設けた一対の貫通孔4b1，4c1を利用して梁４に取り付けることが出来る外壁板受金具Ｂを使用したものである。
【００２９】
外壁板受金具Ｂは、図７に示すように、軒裏用外壁板３を取り付けるための箱型の外壁板受部21の両端部に軸部22，23が設けられており、一方の軸部22にリング状の係止部22ａが設けられ、他方の軸部23にネジ部23ａが設けられている。
【００３０】
そして、図６に示すように、ネジ部23ａの外壁板受部21近傍の位置までナット24を螺合した状態で、梁４の下フランジ４ｃの上面側から該下フランジ４ｃの貫通孔4c1内に一方の軸部23を挿入した後、梁４の上フランジ４ｂの下面側から該上フランジ４ｂの貫通孔4b1内に他方の軸部22を挿入し、ナット24をネジ部23ａに沿って下フランジ４ｃ側に進行させ、軸部22の係止部22ａを上フランジ４ｂの下面に当接係止すると共に、ナット24を下フランジ４ｃの上面に当接させて締結固定することが出来る。
【００３１】
このように、外壁板受金具Ｂの軒裏用外壁板３を取り付けるための外壁板受部21の両端部に設けられた軸部22，23が、梁４の上下フランジ４ｂ，４ｃに設けられた一対の貫通孔4b1，4c1にそれぞれ挿入され、一方の軸部22に設けられた係止部22ａが一方のフランジである上フランジ４ｂの内面に係止されると共に、他方の軸部23に設けられたネジ部23ａに螺合されたナット24が他方のフランジである下フランジ４ｃの内面に当接係止されて固定される。
【００３２】
そして、前記実施形態と同様に、梁４の上下フランジ４ｂ，４ｃに渡して取り付けた複数の外壁板受金具Ｂの外壁板受部21に長尺部材９を渡してドリルねじ10により固定し、該長尺部材９に軒裏用外壁板３をドリルねじ11により取り付けることが出来る。尚、長尺部材９を省略して外壁板受金具Ｂの外壁板受部21に直接、軒裏用外壁板３をドリルねじ11により取り付けることでも良い。
【００３３】
梁４の上面より低い位置にベランダを設ける場合、ベランダの床面は一般の床パネルの床面よりも低い位置に設定されているため、図６に示すように、ベランダ床の落とし込み用アングル材25に干渉しないように軸部22の長さが適宜設定される。また、外壁板受金具ＡのＬ型板６に設けた切欠部６ｄも同様にベランダ床の落とし込み用アングル材25に干渉しないために形成したものである。
【００３４】
図８は梁４に対して外壁板受金具Ａ，Ｂを適宜選択的に取り付け、長尺部材９を省略して外壁板受金具ＡのＬ型板６の起立片６ａに接続された外壁板受片６ｂ及び外壁板受金具Ｂの外壁板受部21に直接、軒裏用外壁板３をドリルねじ11により取り付けた一例である。
【００３５】
上記構成によれば、外壁板受金具Ａの平板５の弾性によりボルト７、ナット８によるボルト締付強度が得られる。また、Ｌ型板６が直角に折れ曲がっているので軒裏用外壁板３の外壁受強度が得られる。また、平板５及びＬ型板６を所望の方向に回転させて傾斜させても使用することが出来る。また、図１に示すように軒下の高さの低い外壁板の取り付けに有利である。
【００３６】
また、外壁板受金具Ａの平板５に設けられたボルト挿通孔５ｂの中心から該平板５の一端５ａまでの長さをウエブ４ａの高さ方向の中心から梁４の下フランジ４ｃの上面までの長さに設定したことで、平板５に設けられたボルト挿通孔５ｂの中心から該平板５の一端までの長さを同じに調節することにより外壁板受部の取り付け高さ位置を統一することが容易になる。
【００３７】
また、外壁板受金具Ａの平板５の下端５ａを梁４の下フランジ４ｃの上面に当接させることで、平板５の強度により軒裏用外壁板３の重量に耐えることが出来る。
【００３８】
また、外壁板受金具Ｂは梁４のウエブ４ａに貫通穴4a1が無い場合や貫通穴4a1があっても他の部材で塞がっていて使用できない場合であっても上下フランジ４ｂ，４ｃの貫通孔4b1，4c1を利用して外壁板受部21を取り付けることが出来る。
【００３９】
また、長尺の軒裏用外壁板３を取り付ける場合には梁４に直接取り付けた外壁板受金具Ａ，Ｂの外壁板受部に長尺部材９を渡して取り付け、その長尺部材９に軒裏用外壁板３を取り付けることが出来、外壁板受金具Ａ，Ｂの個数及び取付作業を削減することが出来る。
【産業上の利用可能性】
【００４０】
本発明の活用例として、梁に外壁板を取り付けるための梁外壁結合構造に適用出来る。
【図面の簡単な説明】
【００４１】
【図１】本発明に係る梁外壁結合構造の第１実施形態の構成を示す断面説明図である。
【図２】本発明に係る梁外壁結合構造の第１実施形態の構成を示す分解斜視図である。
【図３】外壁板受金具Ａの分解斜視図である。
【図４】本発明に係る梁外壁結合構造の第２実施形態の構成を示す断面説明図である。
【図５】本発明に係る梁外壁結合構造の第２実施形態の構成を示す分解斜視図である。
【図６】外壁板受金具Ｂを梁に取り付けた様子を示す断面説明図である。
【図７】外壁板受金具Ｂの構成を示す三面図である。
【図８】外壁板受金具Ａ，Ｂを梁に取り付けた様子を示す分解斜視図である。
【符号の説明】
【００４２】
Ａ，Ｂ…外壁板受金具
１…屋根
１ａ…軒裏
２…外壁板
３…軒裏用外壁板
４…梁
４ａ…ウエブ
4a1…貫通穴
４ｂ，４ｃ…上下フランジ
4b1，4c1…貫通孔
５…平板
５ａ…一端（下端）
５ｂ…ボルト挿通孔
６…Ｌ型板
６ａ…起立片
６ｂ…外壁板受片
６ｃ…固定片
6c1…ボルト挿通孔
６ｄ…切欠部
７…ボルト
８…ナット
９…長尺部材
10，11…ドリルねじ
21…外壁板受部
22，23…軸部
22ａ…係止部
23ａ…ネジ部
24…ナット
【図１】
0005198041.tif 000002
【図２】
0005198041.tif 000003
【図３】
0005198041.tif 000004
【図４】
0005198041.tif 000005
【図５】
0005198041.tif 000006
【図６】
0005198041.tif 000007
【図７】
0005198041.tif 000008
【図８】
0005198041.tif 000009